(57)【要約】【課題】ビデオデッキやディスクデッキなどを備えた複合機器のフロントパネル開口部から機器に装填されているビデオテープやディスク等を取出す為のボタンスイッチであって、操作したボタンから指を離すことで元の位置に復帰する能力を備えるようにしたものであり、寸法精度を高くして、しかも簡単で安く製作することが出来る複合機器の記録媒体取出すボタンスイッチの提供。【解決手段】各機器から夫々の記録媒体を取出す為に１個のボタンスイッチ４をフロントパネル１に取付け、該ボタンスイッチ４のボタン９には弾性支持部１２を備えることで、スイッチ操作後にボタン９から指を離すならば元の位置に復帰可能としている。【選択図】        図２
2004235059.tif 000002
【特許請求の範囲】
【請求項１】
ビデオデッキやディスクデッキ等を備えた複合機器のフロントパネル開口部から機器に装填されているビデオテープやディスク等を取出す為のボタンスイッチにおいて、各機器から夫々の記録媒体を取出す為に１個のボタンスイッチをフロントパネルに取付け、該ボタンスイッチのボタンには弾性部材を備えることで、スイッチ操作後にボタンから指を離すならば元の位置に復帰可能としたことを特徴とする複合機器の記録媒体取出しボタンスイッチ。
【請求項２】
上記ボタンの裏側両側には先端にカギを形成して基板に設けたスイッチに接触する脚を延ばし、裏側中央にはフロントパネルのボタン開口部に設けた受けに取付けられる弾性支持部を延ばした請求項１記載の複合機器の記録媒体取出しボタンスイッチ。
【請求項３】
上記ボタンの裏側両側部には基板に設けたスイッチに接触する脚を延ばし、ボタンより一回り大きな外枠と一体成形し、該ボタンは外枠に設けていて弾性捩り変形する繋ぎと連結した請求項１記載の複合機器の記録媒体取出しボタンスイッチ。
【請求項４】
上記ボタンの裏側両側には脚を湾曲して設け、裏側中央にはボタン開口部に設けている支持板にガイドされてスライドする支持部を延ばし、ボタンをスライドすることで支持部先端が基板に設けたスイッチに接触可能とした請求項１記載の複合機器の記録媒体取出しボタンスイッチ。
【請求項５】
上記ボタンの裏側中央には脚を延ばすと共に、脚先端にはスライドすることで基板のスイッチに接する接触部を設け、そして脚には弾性撓み変形する線材を取付けた請求項１記載の複合機器の記録媒体取出しボタンスイッチ。
【請求項６】
上記ボタンの裏側中央には脚を延ばすと共に、脚先端には回転することで基板に設けたスイッチに接する２本のアームと弾性撓み変形する支持部を外方向へ延ばし、そして支持部先端はフロントパネルに設けた受けに固定した請求項１記載の複合機器の記録媒体取出しボタンスイッチ。
【発明の詳細な説明】
【０００１】
【発明の属する技術分野】
本発明はディスク装置とビデオ装置などの複数機器を備えた場合、記録媒体を各機器から取出す為のボタンスイッチに関するものである。
【０００２】
【従来の技術】
図７はビデオ装置とディスク装置を組み合わせた複合機器の正面図であり、フロントパネル５０にはビデオテープが出入れされるテープ開口部５１が設けられ、またディスクを出入れする為のトレイ開口部を有している。そして、テープ開口部５１の左側にはデッキに装填されているビデオテープを取出す為のボタンスイッチ５３が設けられ、同じくトレイ開口部５２の右側にはトレイを押し出す為のボタンスイッチ５４が夫々設けられている。ビデオテープ及びディスクを載せたトレイは手で押すことで装置に搬入されてデッキに装填されるが、取出す場合のボタンスイッチ５３，５４がフロントパネル５０に設けられている。
【０００３】
図７（ｂ）はボタンスイッチ５３，５４の展開図を示しているが、ボタン５５ａ，５５ｂと基板５６ａ，５６ｂの組合せで構成し、基板５６ａ，５６ｂをフロントパネル５０にネジ止めすると共にボタン５５ａ，５５ｂがボタン開口部５７ａ，５７ｂから突出する。そこで、該ボタン５５ａを押すならば基板５６ａに設けているスイッチ５８ａがＯＮしてテープが排出され、同じくボタン５５ｂを押すならば基板５６ｂに設けているスイッチ５８ｂがＯＮしてトレイが排出される。
【０００４】
このように、ビデオ装置とディスク装置の夫々にビデオテープ及びトレイ排出用ボタンスイッチ５３，５４を設けているが、フロントパネル５０のデザインが制約されて外観が良くない。そして、２つのスイッチの製造コスト及び２つのスイッチの組み付けコストが嵩み、その分、複合機器の製作コストが高くなる。また、フロントパネル５０に２個のボタン開口部５７ａ，５７ｂを設けることで、該フロントパネル５０を成形する金型がその分だけ複雑化して金型コストも高くなる。さらに、完成後には夫々のボタンスイッチ５３，５４の検査が必要となり、検査にも時間がかかる。
【０００５】
そこで、１個で複数の機能を果たすスイッチを用いるならば、フロントパネルに１個のボタン開口部を設けて、該開口部にボタンスイッチを取付けることが出来る。特開平７−２１１１９５号に係る「シーソー釦装置」は、１個のスイッチで２つの機能を行う従来の例である。該シーソー釦装置は、「複数のスイッチを設けた基板と、前記スイッチを押圧する押圧部を設けると共に支柱の突起部に凸状の円弧部を設けた釦と、前記突起部を挿通させる複数の挿通孔を設けると共に、前記挿通孔の外側の内壁部に前記釦を回動させる凹状の円弧部を設けた筐体とを備えている。」
【０００６】
そこで、釦の一方を押すならば、円弧状突起を突起が摺動して押圧部がスイッチを押してＯＮする。そして釦から指を離すならば該釦を把持している把持突起部の弾性によって元の位置に戻される。しかし、該把持突起部は筐体に設けられ、本発明が対象としている複合機器であれば、キャビネットのフロントパネルに相当する。
【０００７】
フロントパネルに把持突起部を設けて押圧されて傾いたシーソー釦を元の位置に戻す為には、該把持突起部に優れた弾性を付与することが必要であり、把持突起部は所定の寸法・形状になるように正確に成形する必要がある。時には、把持突起部を特別な材質にて構成することも必要である。しかし、大きなフロントパネルと一体的に成形するには、その寸法精度に問題があり、まして別の材質にて構成することは困難である。小さなボタンスイッチを操作するのに支障があるような強い把持突起部であってはならず、又元の位置に復帰できないような弱い把持突起部でも問題がある。従って、大きなフロントパネルの一部に寸法精度の高い把持突起部を一体成形することは不可能である。
【０００８】
【発明が解決しようとする課題】
このように、従来のシーソー釦装置には上記のごとき問題がある。本発明が解決しようとする課題はこの問題点であり、フロントパネル側に操作したボタンを元の位置に戻す弾性機能を与えることなく、ボタン自体に復帰する能力を備えることで、寸法精度を高くして、しかも簡単で安く製作することが出来る複合機器の記録媒体取出しボタンスイッチを提供する。
【０００９】
【課題を解決する為の手段】
本発明に係る複合機器の記録媒体取出しボタンスイッチは、ボタンを押圧することで傾いてスイッチをＯＮし、指を離すことで元の位置に復帰することが出来るように構成している。またボタンを回転することでスイッチをＯＮし、指を離すならば逆転して元の位置に復帰することが出来る。すなわち、外力が作用していないボタンは常にスイッチから離れた中立状態にあるように作動する。
【００１０】
ボタンを押したり、スライドしたり、回転することで弾性部材が変形して弾性力が付勢される。この弾性力によって指が離れたボタンは元の位置（元の状態）に復帰する。そして、弾性部材は小さなボタン自体に設けられ、その為に高い寸法精度にて成形されて高性能な弾性力が発生する。また、弾性部材をボタン本体とは別の材質にて成形することも可能である。以下、本発明に係る複合機器の記録媒体取出しボタンスイッチを図面に基づいて詳細に説明する。
【００１１】
【実施例】
図１（ａ）は本発明に係るボタンスイッチを取付けた複合機器のフロントパネル１を示している。フロントパネル１にはテープ開口部２とトレイ開口部３が設けられ、両開口部２，３の間にボタンスイッチ４が取付けられている。図１（ｂ）はボタンスイッチ４の展開図を表しているが、ボタン開口部５が形成されて、該開口部５にはシーソーボタン６が嵌り、後方にはスイッチ７ａ，７ｂを備えた基板８が取付けられる。従って、ボタンの右側端を押すならば、右側スイッチ７ｂがＯＮされてトレイが押し出され、ボタンの左側端を押すならば左側スイッチ７ａがＯＮされてビデオテープが排出される。そして、指を離すことでシーソーボタン６は元の位置に復帰する。
【００１２】
ところで、シーソーボタン６の形態は色々あるが、具体例を以下に説明する。図２（ａ）に示すシーソーボタン６はボタン９の裏側両側に脚１０ａ，１０ｂを延ばし、該脚１０ａ，１０ｂの先端にはカギ１１ａ，１１ｂを形成している。そして中央には弾性支持部１２を延ばしている。ボタン９の上面１３ａ，１３ｂは中央を低くした傾斜面とし、指で押し易くなっている。
【００１３】
図２（ｂ）は上記ボタンスイッチ４の断面であり、シーソーボタン６はフロントパネル１に形成したボタン開口部５に取付けられる。長方形穴を有すボタン開口部５の両側片１４ａ，１４ｂの内側には段差１５ａ，１５ｂが形成され、該段差１５ａ，１５ｂにはシーソーボタン６の脚先端に形成したカギ１１ａ，１１ｂが係止している。
【００１４】
シーソーボタン６をボタン開口部５に挿入するならば、両脚１０ａ，１０ｂは撓み変形して通過し、先端のカギ１１ａ，１１ｂが段差１５ａ，１５ｂに係止して外れないようになる。そして、ボタン開口部の中央には受け３３を有し、該受け３３に形成した溝に弾性支持部１２が嵌合する。受け３３の溝は底を有している為に、弾性支持部１２の先端は底に当たってシーソーボタン６はボタン開口部５の所定の位置に取付けられて外れることはない。
【００１５】
一方、ボタン開口部５の奥（同図では下側）に基板８がネジ止めされ、該基板８には２個のスイッチ７ａ，７ｂが設けられている。そこで、ボタン９の左側上面１３ａを押すならば、受け３３に嵌っている弾性支持部１２が撓み変形して脚１０ａの先端はスイッチ７ａに当たってＯＮされる。そして、ボタン上面１３ａから指を離すならば、湾曲変形した弾性支持部１２は元の形状に復元して脚先端はスイッチ７ａから離れる。
【００１６】
ボタン９の上面１３ａを押すならば、ビデオテープがテープ開口部２から排出され、ボタン上面１３ｂを押すならば、トレイがトレイ開口部３から突出してディスクをトレイから取出すことが出来、また新たなディスクを載置出来る。ボタン上面１３ａ，１３ｂは傾斜し、各上面１３ａ，１３ｂを押すことで該上面側に設けている開口部２，３からビデオテープ又はトレイが出される。
【００１７】
図３は本発明のシーソーボタンを示している他の実施例である。ボタン９は外形を大きくした外枠２４と一体成形され、外枠の四隅に設けている穴２５，２５・・にネジを挿通してフロントパネル１のボタン開口部５に固定される。そしてボタン９の裏側には２本の脚２６ａ，２６ｂが延び、該脚２６ａ，２６ｂの下方に基板（図示なし）が取付けられる。
【００１８】
外枠２４の中央には繋ぎ２７が設けられ、該繋ぎ２７を介してボタン９が繋がっている。そこで、ボタン９の左側上面１３ａを押すならば脚２６ａが降下して基板に設けているスイッチに触れてＯＮする。又ボタン９の右側上面１３ｂを押すならば脚２６ｂが降下して基板に設けている他のスイッチをＯＮする。このように、上面１３ａ，１３ｂを押すことで繋ぎ２７は捩られて脚２６ａ，２６ｂは降下し、ボタン９から指を離すならば元の位置に復帰する。
【００１９】
図４は本発明のスライドボタンを表している実施例である。ボタン９の裏側両側には湾曲した脚１６ａ，１６ｂが設けられ、ボタン中央には支持部１７を形成している。湾曲した脚１６ａ、１６ｂは弾性変形することが出来、支持部１７の中には溝１８が設けられ、開口部中央支持板１９が溝１８に嵌っている。スライドボタン９をフロントパネル１のボタン開口部５に挿入するならば両脚１６ａ，１６ｂは撓み変形して通過し、開口内側の段差１５ａ，１５ｂに先端２０ａ，２０ｂが係止する。従って、スライドボタン９はボタン開口部５から外れないようになり、又ボタン開口部５の所定の位置に取付けられる。
【００２０】
そこで、ボタン５を左側へスライドするならば左側脚１６ａが変形して支持部１７は溝１８に嵌っている支持板１９にガイドされて移動し、支持部１７の先端は基板８に設けているスイッチ７ａをＯＮする。逆に、ボタン９を右側へスライドするならば右側脚１６ｂが変形して支持部先端がスイッチ７ｂをＯＮする。そして、ボタン９から指を離すならば湾曲した両脚１６ａ，１６ｂが元形状に復帰して、該ボタン９はボタン開口部５の中央に戻される。
【００２１】
図５は本発明のスライドボタンを示す他の実施例である。ボタン９の裏側中央には脚２１が延び、該脚先端には接触部２２を設けている。そして脚２１に貫通した穴にバネ性の線材２３が取付けられ、該線材２３は脚２１に対して垂直方向へ延びている。ボタン９をボタン開口部５に嵌めて線材２３の両端はフロントパネル１に固定される。ボタン９はボタン開口部５の中央に位置し、該ボタン９を左右にスライドするならば接触部２２が基板８に設けているスイッチ７ａ，７ｂに接してＯＮする。
【００２２】
ボタン９をスライドして指を離すならば変形した線材２３が元の形状に復帰して該ボタン９はボタン開口部５の中央に戻される。ここで、脚２１に取付けられる線材２３はボタン９の一部として一体成形することも可能であり、又線材２３の両端をフロントパネルに固定する手段は限定しない。
【００２３】
図６は本発明の実施例であり、回転式ボタンを示している。ボタン９は円盤形を成し、上面にはツマミ２８を有している。そして裏側には脚２９が延び、脚先端には支持部３０が外方向へ延び、又２本のアーム３１ａ，３１ｂが外方向へ延びている。支持部３０の先端はフロントパネル１に設けたコ形形状の受け３２に嵌って固定されている。
【００２４】
両アーム３１ａ，３１ｂの下方には基板（図示なし）が設けられ、該基板にはスイッチ７ａ，７ｂが取付けられている。そこで、ツマミ２８を摘んでボタン９が右方向（時計方向）に回転するならば、支持部３０は弾性変形してアーム３１ａの先端がスイッチ７に接してＯＮする。逆にボタン９が左方向（反時計方向）に回転するならば、アーム３１ｂの先端がスイッチ７ｂに接してＯＮする。そして、ツマミ２８から指を離すならば弾性変形した支持部３０は真っ直ぐになってボタン９は元の位置に復帰する。
【００２５】
以上述べたように、本発明のボタンスイッチはボタンをシーソー、スライド，又は回転することでスイッチをＯＮすると共に、指を離すことで元の位置に復帰可能に構成したものであり、次のような効果を得ることが出来る。
【００２６】
【発明の効果】
本発明に係る複合機器の記録媒体取出しボタンスイッチは、フロントパネルに取付けたボタンをスライド、シーソー、又は回転することで、記録媒体を開口部から取出すことが出来る。そして、ボタンから指を離すことでボタンは元の位置に復帰することが出来るように成っているが、該ボタンのスライド、シーソー、及び回転操作が滑らかで、しかも正確に復帰することが可能と成る。
【００２７】
すなわち、本発明のボタンスイッチはボタン側に弾性部材が設けられ、ボタンと一体化して適度な形状及び寸法に成形することが出来る。すなわち、大きなフロントパネル側に弾性部材を一体成形する場合に比較して、該弾性部材の寸法精度は高く、適度に弾性変形してボタン操作をスムーズに行うことが出来ると共に、元の位置に正確に復帰することが出来る。
【図面の簡単な説明】
【図１】ボタンスイッチを備えたフロントパネル。
【図２】本発明に係るボタンスイッチの実施例。
【図３】本発明に係るボタンスイッチの実施例。
【図４】本発明に係るボタンスイッチの実施例。
【図５】本発明に係るボタンスイッチの実施例。
【図６】本発明に係るボタンスイッチの実施例。
【図７】従来のボタンスイッチを備えたフロントパネル。
【符号の説明】
１  フロントパネル
２  テープ開口部
３  トレイ開口部
４  ボタンスイッチ
５  ボタン開口部
６  シーソーボタン
７  スイッチ
８  基板
９  ボタン
１０  脚
１１  カギ
１２  弾性支持部
１３  上面
１４  側片
１５  段差
１６  脚
１７  支持部
１８  溝
１９  支持板
２０  先端
２１  脚
２２  接触部
２３  線材
２４  外枠
２５  穴
２６  脚
２７  繋ぎ
２８  ツマミ
２９  脚
３０  支持部
３１  アーム
３２  受け
３３  受け
【図１】
2004235059.tif 000003
【図２】
2004235059.tif 000004
【図３】
2004235059.tif 000005
【図４】
2004235059.tif 000006
【図５】
2004235059.tif 000007
【図６】
2004235059.tif 000008
【図７】
2004235059.tif 000009